(57)【要約】【課題】本発明の課題は、防水が必須でない環境での使用に便利な、ワンタッチでカバーが取り付け外しが可能な単純な構造で低コストの絶縁カバー付の電線間接続のコネクタを提供することである。【解決手段】  本発明による絶縁カバー付電線コネクタは、突起を有し且つ電線同士を接続するための接続介助体と、その突起に対応する凹部を有する絶縁カバーとを有し、電線接続後に、絶縁カバーを簡単に取り付けるだけで、接続介助体の突起と絶縁カバーの凹部が接触して、絶縁カバーが電線の引き伸ばし方向にずれないようにしたことを特徴としている。【選択図】図１
2006338882.tif 000002
【特許請求の範囲】
【請求項１】
突起を有し且つ電線同士を接続するための接続介助体と、前記接続介助体に付設でき且つ前記電線を固定するための固定具と、前記突起に対応し嵌合する凹部とを有する絶縁カバーとを有し、電線接続後に、前記接続介助体を前記絶縁カバー内に取り付けたときに、前記接続介助体の前記突起と前記絶縁カバーの前記凹部が嵌合して前記絶縁カバーが前記電線の引き伸ばし方向にずれないようにしたことを特徴とする絶縁カバー付電線コネクタ。
【請求項２】
前記接続介助体の前記突起は、前記固定具が付設された前記接続介助体の面に対して、並行に拡張した突起又は、直角方向に且つ前記固定具の突出方向とは反対側にせり出したことを特徴とする請求項１記載の絶縁カバー付電線コネクタ。
【請求項３】
前記固定具は、前記電線の端子部を締結するに、オスネジ及びメスネジによる締結手段か、前記電線の金属先端部を挿入し押圧し接続するための切片又は穴を有する管によるかしめ手段であることを特徴とする請求項１又は請求項２記載の絶縁カバー付電線コネクタ。
【請求項４】
前記接続介助体は、前記電線を固定するための複数の固定具を有することを特徴とする請求項１から請求項３のいずれか一つに記載の絶縁カバー付電線コネクタ。
【請求項５】
前記絶縁カバーは、方形又は円筒状の形状を有することを特徴とする請求項１から請求項４のいずれか一つに記載の絶縁カバー付電線コネクタ。
【請求項６】
前記絶縁カバーは、前記接続介助体を前記絶縁カバー内に取り付け閉じたときに閉状態を保つための前記絶縁カバー閉用突起と凹部を有するか、又は前記絶縁カバーの上側カバーと下側カバーが閉じたときに合う面に粘着又は吸引による係止手段を有することを特徴とする請求項１から請求項５のいずれか一つに記載の絶縁カバー付電線コネクタ。
【請求項７】
前記突起は、前記接続介助体の周りに円環状または、複数の方向に付設されたことを特徴とする請求項１から請求項６のいずれか一つに記載の絶縁カバー付電線コネクタ。
【請求項８】
前記絶縁カバーは、前記接続介助体の前記突起に嵌合うための凹部に対応する部位を有し、前記接続介助体を重複部を持って巻きこむことを特徴とする請求項１から請求項７のいずれか一つに記載の絶縁カバー付電線コネクタ。
【請求項９】
前記絶縁カバーの巻き込みを得る手段として、前記絶縁カバーを構成するものが、弾性復元力を有する樹脂か、温度変化により復元する形状記憶樹脂又は形状記憶合金であることを特徴とする請求項８記載の絶縁カバー付電線コネクタ。
【請求項１０】
前記接続介助体又は、前記絶縁カバーの少なくとも一つが、前記電線の接続部の異常発熱による温度上昇を感知して変色する感温変色体を含む樹脂を有することを特徴とする請求項１から請求項９のいずれか一つに記載の絶縁カバー付電線コネクタ。
【発明の詳細な説明】
【技術分野】
【０００１】
本発明は、ワイヤ又はケーブルなどの電線を接続するためのものであって、絶縁カバーによる覆いをつけることが極めて簡単で短時間に行うことができ、且つ、製造上も容易なもの絶縁カバー付電線コネクタに関するものである。
【背景技術】
【０００２】
従来、電気工事において、電線を接続した場合には、感電からの防御の目的で、電線の金属部の露出部（接続部）を絶縁体で蓋うことが行われている。その手段として色々の例を以下に示す。最も手軽に行われのは、接続部を絶縁ビニルテープで巻いて蓋うものが行われている。これは、蓋いのための器具が無い場合には、便利であるが、テープ巻き込みの手間があり、複数の線の内、１本だけ巻かなければならない場合には、巻き込み難い不都合があった。図８には、よく使われる市販の防水型コネクタを示す図である。これは、完全防水のためのものである。８−Ａでその作用を説明する。８０１は、左側からの電線であり、その先には円形の穴のある端子が付いている。８０２は、右側からの電線であり、同様にその先には、円形の穴のある端子が付いている。先ず、電線を接続するには、両電線８０１、８０２の円形端子の穴をあわせて、これにネジ８０３を通して締めることで、接続する。しかる後に、キャップ８０４を電線の接続部をカバーするように移動する。キャップ８０４の両端にはオスネジ部８０５、８０６が施してある。従って、左側メスネジ８０７部と右側メスネジ８０８部をオスネジ部８０５、８０６に締めこむことで、コネクタ全体の接続作業が完成する。これは、オスネジ部８０５、８０６、メスネジ部８０７、８０８部の接触により、水を通さない防水構造になっている極めて優れた構造である。然しながら、防水構造は不必要である用途には、ねじ込みは、余分な作業であり、構造が複雑なので、コスト高となって不都合である。この他にも、防水材やゴムキャップによる防水コネクタの例が、特許文献１、特許文献２に示されているが、図８より簡易な構成となっているが、やはり、防水が必須でない環境に使える、さらに簡易な構成のコネクタが要望されている。
【特許文献１】特開２００２−２１６８９０
【特許文献２】特開平７−９４２３７
【発明の開示】
【発明が解決しようとする課題】
【０００３】
本発明の課題は、以上の説明でも分かるように、防水が必須でない環境での使用に便利な、ワンタッチでカバーが取り付け外しが可能な単純な構造で低コストの絶縁カバー付の電線間接続のコネクタを提供することである。
【課題を解決するための手段】
【０００４】
本発明による絶縁カバー付電線コネクタは、突起を有し且つ電線同士を接続するための接続介助体と、その突起に対応する凹部を有する絶縁カバーとを有し、電線接続後に、絶縁カバーを簡単に取り付けるだけで、接続介助体の突起と絶縁カバーの凹部が接触して、絶縁カバーが電線の引き伸ばし方向にずれないようにしたものである。以下説明する。
【０００５】
請求項１記載の発明は、絶縁カバー付電線コネクタであって、突起を有し且つ電線同士を接続するための接続介助体と、前記接続介助体に付設でき且つ前記電線を固定するための固定具と、前記突起に対応し嵌合する凹部とを有する絶縁カバーとを有し、電線接続後に、前記接続介助体を前記絶縁カバー内に取り付けたときに、前記接続介助体の前記突起と前記絶縁カバーの前記凹部が嵌合して前記絶縁カバーが前記電線の引き伸ばし方向にずれないようにしたことを特徴とする。これにより、簡単な構成でずれない絶縁カバーを得る事が出来る。
【０００６】
請求項２記載の発明は、請求項１記載の絶縁カバー付電線コネクタにおいて、前記接続介助体の前記突起は、前記固定具が付設された前記接続介助体の面に対して、並行に拡張した突起又は、直角方向に且つ前記固定具の突出方向とは反対側にせり出したことを特徴とする。この突起により絶縁カバーのズレが防止される。
【０００７】
請求項３記載の発明は、請求項１又は請求項２記載の絶縁カバー付電線コネクタにおいて、前記固定具は、前記電線の端子部を締結するに、オスネジ及びメスネジによる締結手段か、前記電線の金属先端部を挿入し押圧し接続するための切片又は穴を有する管によるかしめ手段であることを特徴とする。これにより、電線が固定具に固定して接続できる。
【０００８】
請求項４記載の発明は、請求項１から請求項３のいずれか一つに記載の絶縁カバー付電線コネクタにおいて、前記接続介助体は、前記電線を固定するための複数の固定具を有することを特徴とする。これにより一組以上の多数の電線を接続できる。
【０００９】
請求項５記載の発明は、請求項１から請求項４のいずれか一つに記載の絶縁カバー付電線コネクタにおいて、前記絶縁カバーは、方形又は円筒状の形状を有することを特徴とする。これにより、形状に変化を得る事が可能である。
【００１０】
請求項６記載の発明は、請求項１から請求項５のいずれか一つに記載の絶縁カバー付電線コネクタにおいて、前記絶縁カバーは、前記接続介助体を前記絶縁カバー内に取り付け閉じたときに閉状態を保つための前記絶縁カバー閉用突起と凹部を有するか、又は前記絶縁カバーの上側カバーと下側カバーが閉じたときに合う面に粘着又は吸引による係止手段を有することを特徴とする。これにより、カバーの開閉用の係止が可能となる。
【００１１】
請求項７記載の発明は、請求項１から請求項６のいずれか一つに記載の絶縁カバー付電線コネクタにおいて、前記突起は、前記接続介助体の周りに円環状または、複数の方向に付設されたことを特徴とする。これにより、絶縁カバーがずれることなく保持できる。
【００１２】
請求項８記載の発明は、請求項１から請求項７のいずれか一つに記載の絶縁カバー付電線コネクタにおいて、前記絶縁カバーは、前記接続介助体の前記突起に嵌合うための凹部に対応する部位を有し、前記接続介助体を重複部を持って巻きこむことを特徴とする。これにより、これにより絶縁カバーのズレを防止し、電線の金属部を完全に蓋って感電防止が図れる。
【００１３】
請求項９記載の発明は、請求項８記載の絶縁カバー付電線コネクタにおいて、前記絶縁カバーの巻き込みを得る手段として、前記絶縁カバーを構成するものが、弾性復元力を有する樹脂か、温度変化により復元する形状記憶樹脂又は形状記憶合金であることを特徴とする。これにより、絶縁カバーの完全な巻き込みが完成し、感電防止が図れる。
【００１４】
請求項１０記載の発明は、請求項１から請求項９のいずれか一つに記載の絶縁カバー付電線コネクタにおいて、前記接続介助体又は、前記絶縁カバーの少なくとも一つが、前記電線の接続部の異常発熱による温度上昇を感知して変色する感温変色体を含む樹脂を有することを特徴とする。これにより、電線接続部の不良による異常発熱を感知できる。
【発明の効果】
【００１５】
以上の様に構成されているので、本発明の絶縁カバー付電線コネクタにおいては、簡単な構成で、絶縁カバーの電線の延出方向へのズレを防止して、有効に電線の金属部をカバーすることができ、感電防止を確実にでき、且つ、使用上の簡便さとコスト低減を図ることが出来る。
【発明を実施するための最良の形態】
【００１６】
発明を実施するための最良の形態として提案するものであって、本発明による絶縁カバー付電線コネクタは、突起を有し且つ電線同士を接続するための接続介助体と、その突起に対応する凹部を有する絶縁カバーとを有し、電線接続後に、絶縁カバーを簡単に取り付けるだけで、接続介助体の突起と絶縁カバーの凹部が接触して、絶縁カバーが電線の引き伸ばし方向にずれないようにしたことで電線の露出を防止し、カバーの役割を実現したことを特徴としている。以下、説明する。
【００１７】
図１は、本発明による絶縁カバー付電線コネクタの一実施態様を説明する斜視図である。接続介助体１０１は、この例では、合成樹脂からなり、平坦な底面に電線の固定具１０３を付設することができ、両横に突起１０２を有している。電線の固定具１０３は、例えば、図示のように、オスネジであり、この場合、接続介助体１０１の底面に埋め込まれているか、底面の裏側から突き出ていて、底面から抜け出さないようになっている。１０４と１０６は、接続する電線であり、各々、円形の穴を有する接続端子１０５、１０７を有している。接続端子１０５、１０７を固定具１０３のオスネジ部に差込し、固定具用メスネジ１０８を締めることで、二つの電線を接続し、固定具に固定した状態が得られる。１１０は絶縁体で形成された絶縁カバー全体を示している。下側カバー１１１には、接続介助体１０１のズレ防止用の凹部１１２が有り、この凹部１１２の形状は、接続介助体１０１の突起１０２が嵌合するようになっている。従って、電線の接続がされた状態の接続介助体１０１を、突起１０２が凹部１１２に嵌合させるように配置した後に、上側カバー１１３を被せ、開かないような係止手段（図示せず、後述）を設ければ、突起１０２が外れないので、その事により、カバーが電線の延出方向に滑ってズレルことを防止することが出来、電線の金属露出部を有効にカバーできる。言わば、簡単な構造でありながら、電線の固定部とカバーは、カバーを被せた段階で位置が決まってしまうので単純なことで接続とカバーの目的が達成される。
【００１８】
図２は、本発明による絶縁カバー付電線コネクタの他の実施態様を説明する斜視図である。接続介助体２０１の底面の下側に突起２０２（１個以上）が付いたものである。その突起２０２が嵌合される凹部２１２は、絶縁体カバー全体２１０の下側カバー２１１の底面に図のように付設してあり、ここに突起２０２が引っかかることで、カバーが電線の延出方向に滑ってズレルことを防止している。その他の作用は、図１と同様である。
【００１９】
図３は、本発明による絶縁カバー付電線コネクタの他の実施態様を説明する斜視図である。電線の接続介助体３０１が金属片で出来ている。この場合、接続介助体３０１には、切れ込みがあり、それを下側に折り曲げることで、図面上で下側に伸びた突起３０２が付設している。又、他に切れ込みがあり、上側に曲げた切片により、電線の固定具３０３が付設してある。電線３０４、３０６の剥き出しの金属線を固定具３０３の内側に挿入し、かしめることで、配線を固定し、接続することが出来る。その突起３０２が嵌合される凹部３１２は、絶縁体カバー全体３１０の下側カバー３１１の底面に図のように付設してあり、ここに突起３０２が引っかかることで、カバーが電線の延出方向に滑ってズレルことを防止している。その他の作用は、図１と同様である。
【００２０】
図４は、本発明による絶縁カバー付電線コネクタの他の実施態様を説明する斜視図である。図１の接続介助体１０１と固定具１０３の部分が、二組４本の電線を接続するように、固定具４０３が二組付設したものを示している。その他の作用は、図１の説明と同様である。この様に、接続する電線が多数本対応も可能である。
【００２１】
図５は、本発明による絶縁カバー付電線コネクタの他の実施態様を説明する斜視図である。ここでは、図１の絶縁カバー全体１１０を円筒形状にしたものである。それ以外は同じである。形状は、これらに拘らず、作成できる。
【００２２】
図６は、本発明による絶縁カバー付電線コネクタのカバーの係止手段の例を説明する図である。６−Ａは、図１のカバー全体１１０の断面を示しているが、下側カバー１１１（図６では、６１１）と上側カバー１１３（図6では６１３）は、柔軟な結合部６１４で繋がっていて、図のように上側カバー６１３と下側カバー６１１は、開いた状態６−Ａから、閉じた状態６−Ｂのように状態を変えることができる。上側カバー６１３と下側カバー６１１には、互いにはめ込みにより閉状態を保つためのカバー閉用突起と凹部６１５が設けられている。６−Ｃでは、６１５のようなカバー閉用突起と凹部は設けられていないが、上側カバー６１３と下側カバー６１１が閉じたときに合う面に粘着材やマジックテープ（登録商標名）や、ゴム磁石、マイクロ吸着テープなどの粘着又は吸引による係止手段６１６が付設してある。マイクロ吸着テープとは、テープの上に微細な穴が無数に敷設されたもので、平面に押し付けたときに、微細な穴の空気が逃げて、真空状態になり、その無数の真空吸引力の綜合により吸着するものである。
【００２３】
図７は、本発明による絶縁カバー付電線コネクタの他の実施態様を説明する図である。
７−Ａにおいて、接続介助体７０１は例えば平面を円筒状に巻いた形状になっていて、筒の穴に電線が挿入できるようになっている。電線の挿入ができれば、円筒や多角形筒などどのような形状でもよい。即ち、この場合は、穴７０３の部分が、電線の接続用の固定具１０３の役割を果している。接続介助体７０１には、カバーのズレ防止用の凹部に嵌合するための突起１０２に対応する突起７０２が円環状に付設している。接続介助体７０１は、この場合は、金属で出来ている。電線７０４、７０６の剥き出しの金属線を穴７０３の内側に挿入し、かしめることで、配線を固定し、接続することが出来る。このようにして、接続が完了したものを７−Ｂに示す。７０９がかしめ部である。７−Ｃは、絶縁体カバー全体７１０を示していて、円環状の突起７０２に嵌合するように凹部に対応する形状に中央部が膨れあがり部７１２（内側が凹部となっている）になっている。このカバーは、この例では、図の様に重複部を持って巻きこむ構成になっているので、後から接続部に巻き込むことが出来、簡便な使用が可能である。勿論、巻き込みでなく。閉じた筒状であっても良い。巻き込みタイプの場合は、樹脂の弾性復元力を利用したり、形状記憶樹脂又は形状記憶合金を用いても良い。７−Ｄには、電線の接続後に絶縁カバーがされた状態を示しているが、図の様に一巻した状態で、カバーが電線の延出方向に滑ってズレルことを防止できている。突起７０２は円環状で示したが、カバーがずれないことが目的なので、複数の方向に突出していても良いことは勿論である。
【００２４】
以上の例の全てにおいて、接続介助体、絶縁カバーの少なくともいずれかに感温変色体を使用することも可能である。このことにより、接続部の異常な発熱が本コネクタで監視できる機能が追加される利点がある。特に、図７の７−Ｃに見る絶縁体カバーを感温変色体を含む樹脂で構成すれば、絶縁機能とともに発熱監視機能が一緒に実現できてしまう。感温変色体については、同発明者が出願した特許文献３等に詳しく紹介されているものが利用できる。
【特許文献３】特願２００４−１２６４０７
【００２５】
以上の例の全てにおいて、以上の説明で使用した合成樹脂としては、塩化ビニル樹脂、ポリエチレン樹脂、ポリプロピレン樹脂、シリコン樹脂、フェノール樹脂など絶縁性の樹脂なら種類を選らばず、使用が可能である。又、絶縁カバーの電線の延出方向は、開いている図を提供したが、電線が通る程度の穴のみ開いていて、他は塞がった形状を取ることが出来ることは当然である。尚、説明図において、説明上電線も記述したが、絶縁コネクタの構成には電線は含まれない。電線は、通常は長く延びているが、記述のスペースの関係で先端近傍しか示していない。又、上側カバーと下側カバーがある場合に、結合部で繋がっている例を示したが、離れていても差し支えない。その場合は、開閉の係止手段が両側にあることが望ましい。
【産業上の利用可能性】
【００２６】
以上に説明したように、電線の接続のための接続介助体の突起と絶縁カバーの凹部の嵌合構造により簡単な構成で、カバーの電線の延出方向へのズレを防止して、有効に電線の金属部をカバーすることができ、使用上の簡便さとコスト低減を図ることが出来るので、産業上利用して極めて便利である。
【図面の簡単な説明】
【００２７】
【図１】本発明による絶縁カバー付電線コネクタの一実施態様を説明する斜視図である。
【図２】本発明による絶縁カバー付電線コネクタの他の実施態様を説明する斜視図である。
【図３】本発明による絶縁カバー付電線コネクタの他の実施態様を説明する斜視図である。
【図４】本発明による絶縁カバー付電線コネクタの他の実施態様を説明する斜視図である。
【図５】本発明による絶縁カバー付電線コネクタの他の実施態様を説明する斜視図である。
【図６】本発明による絶縁カバー付電線コネクタのカバーの係止手段の例を説明する図である。
【図７】本発明による絶縁カバー付電線コネクタの他の実施態様を説明する図である。
【図８】従来の防水型コネクタを示す図である。
【符号の説明】
【００２８】
１０１、２０１、３０１、７０１  接続介助体
１０２、２０２、３０２、７０２  突起
１０３、３０３、４０３  固定具
１０４、１０６、３０４、３０６、７０４、７０６  電線
１０５、１０７  接続端子
１０８  固定具用メスネジ
１１０、３１０、７１０  絶縁カバー全体
１１１、２１１、３１１、６１１  下側カバー
１１２、２１２、３１２  凹部
１１３、６１３  上側カバー
６１４  結合部
６１５  カバー閉用突起と凹部
６１６  粘着又は吸引による係止手段
７０３  穴
７０９  かしめ部
７１２  膨れあがり部
８０１  左側からの電線
８０２  右側からの電線
８０３  ネジ
８０４  キャップ
８０５、８０６  オスネジ部
８０７、８０８  メスネジ部    
【図１】
2006338882.tif 000003
【図２】
2006338882.tif 000004
【図３】
2006338882.tif 000005
【図４】
2006338882.tif 000006
【図５】
2006338882.tif 000007
【図６】
2006338882.tif 000008
【図７】
2006338882.tif 000009
【図８】
2006338882.tif 000010